(57)【要約】      （修正有）【課題】高周波脈動の電気エネルギーの電源へ応用するとき、小型化・軽量化・コスト削減が可能な脈動の電気エネルギーによる並列共振ＬＥＤ一方向性駆動回路を提供する。【解決手段】脈動の電気エネルギーを電源とし、少なくとも一個のコンデンサーＣ１００で第一インピーダンスＺ１０１を構成し、かつ並列接続後の固有並列共振周波数と脈動の電気エネルギーの脈動周期が同じで並列共振を形成する誘導性インピーダンスコンポネントＩ２００とコンデンサーＣ２００とを並列接続して第二インピーダンスＺ１０２を構成し、二者を直列接続後の両端へ脈動の直流の電気エネルギーを電源として入力し、第一インピーダンスＺ１０１及び第二インピーダンスＺ１０２を通して、入力する脈動の直流の電気エネルギーを分圧させ、整流装置ＢＲ１０１を経て一方向性直流の電気エネルギーと整流することより、一方向性導電発光ダイオードＬ１００を駆動する。【選択図】図２
2009170912.tif 000002
【特許請求の範囲】
【請求項１】
脈動の電気エネルギーを電源とし、キャパシティブインピーダンスコンポネント、誘導性インピーダンスコンポネントまたは抵抗性インピーダンスコンポネントによって、第一インピーダンスを構成し、さらに並列接続後の固有並列共振周波数と脈動の電気エネルギーの脈動周期とが同じであって、かつ並列共振を形成する誘導性インピーダンスコンポネントとキャパシティブインピーダンスコンポネントとを採用し、二者を並列接続することによって第二インピーダンスを構成し、前記第一インピーダンスと前記第二インピーダンスとを直列に接続し、直列接続後の両端へ脈動の直流の電気エネルギーを電源として入力する脈動の電気エネルギーによる並列共振ＬＥＤ一方向性駆動回路であって、
１．直流脈動の電気エネルギーを入力するか、或いは、２．直流電源を固定或いは可変電圧に転換し、さらに固定或いは可変周期の直流脈動の電気エネルギーを入力するか、或いは、３．交流の電気エネルギーを直流の電気エネルギーに整流し、固定或いは可変電圧に再転換し、さらに固定或いは可変周期の直流脈動の電気エネルギーを入力するか、或いは、４．固定或いは可変電圧及び固定或いは可変周波数の交流の電気エネルギーを入力し、半波或いは全波の直流脈動の電気エネルギーに整流し、
直列接続する前記第一インピーダンス及び並列共振する前記第二インピーダンスによって、入力する脈動の直流の電気エネルギーの電圧を分圧させ、分圧する電気エネルギーによって、整流装置を経て一方向性直流の電気エネルギーと整流することより、一方向性導電の発光ダイオードを駆動し、高周波脈動の電気エネルギーの電源へ応用すると、小型化・軽量化・コスト削減が可能であり、
少なくとも一個のキャパシティブインピーダンスコンポネント、誘導性インピーダンスコンポネント或いは抵抗性インピーダンスコンポネントによって第一インピーダンスを構成し、第二インピーダンスは少なくとも一個のキャパシティブインピーダンスコンポネントと少なくとも一個の誘導性インピーダンスコンポネントを並列接続し、並列接続後の固有並列共振周波数は脈動の電気エネルギーの脈動周期は同じであって、かつ電源の脈動の電気エネルギーを入力するとき、並列共振状態を示し、
前記第一インピーダンスと前記第二インピーダンスとを直列接続してからの両端へ電源からの脈動の電気エネルギーを入力し、電源からの脈動の電気エネルギーを通して、並列共振する前記第二インピーダンスに分圧する電気エネルギーを形成し、また前記第二インピーダンスの並列共振状態である相対分圧する電気エネルギーを整流装置の交流の電気エネルギー入力端へ伝送し、前記整流装置の直流出力端から直流の電気エネルギーを出力し、
少なくとも一個の発光ダイオードによって一方向性導電の発光ダイオードセットを構成し、前記整流装置から出力する直流の電気エネルギーによって駆動し、
少なくとも一個の前記整流装置の交流入力端へ前記第一インピーダンスの両端からの分圧する電気エネルギーを入力し、或いは前記第二インピーダンスからの分圧する電気エネルギーを入力し、
整流後の直流の電気エネルギーによって少なくとも一個の一方向性導電発光ダイオードセットを駆動し、
１．キャパシティブインピーダンスコンポネント、誘導性インピーダンスコンポネントまたは抵抗性インピーダンスコンポネントの中の一種或いは一種以上及び一個或いは一個以上のインピーダンスコンポネントによって構成され、或いは採用二種或いは二種以上のインピーダンスコンポネントによって構成され、かつ各種インピーダンスコンポネントは一個或いは一個以上で、直列、並列または直並列接続によって構成されるか、或いは、２．少なくとも一個のキャパシティブインピーダンスコンポネントと少なくとも一個の誘導性インピーダンスコンポネントとを互いに直列接続し、二者を直列接続後の固有直列共振周波数と周期交換極性直流電源の周期が同じであって、かつ直列共振状態を形成するか、或いは、３．少なくとも一個のキャパシティブインピーダンスコンポネント及び少なくとも一個の誘導性インピーダンスコンポネントが互いに並列接続し、二者を並列接続後の固有並列共振周波数と周期交換極性直流電源周期とが同じであって、かつ並列共振状態を形成する第一インピーダンス（Ｚ１０１）を備え、 
少なくとも一個の誘導性インピーダンスコンポネントと少なくとも一個の第一コンデンサー（Ｃ２００）が並列接続して構成し、二者を並列接続後の固有並列共振周波数と脈動の電気エネルギーの脈動周期とが同じであって、かつ相対する並列共振周波数の低エネルギー消耗性変化極性のエネルギー貯蔵状態及び端子電圧状態を形成する第二インピーダンス（Ｚ１０２）を備え、
ニーズによってキャパシティブインピーダンスコンポネント、誘導性インピーダンスコンポネントまたは抵抗性インピーダンスコンポネントを選択することが可能で、三者の中から少なくとも一種のインピーダンスコンポネントによって、前記第一インピーダンス（Ｚ１０１）を構成してもよく、
また、前記第一インピーダンス（Ｚ１０１）を不使用と選択し、前記第二インピーダンス（Ｚ１０２）を直接脈動電源に並列接続し、並列共振を形成してもよく、
前記第一インピーダンス（Ｚ１０１）或いは前記第二インピーダンス（Ｚ１０２）の両端に並列接続し、或いは同時に前記第一インピーダンス（Ｚ１０１）及び前記第二インピーダンス（Ｚ１０２）の両端に並列接続することによって、前記第一インピーダンス（Ｚ１０１）或いは前記第二インピーダンス（Ｚ１０２）の両端の分圧する電気エネルギーを直流の電気エネルギーに整流することによって、一方向性導電発光ダイオードセット（Ｌ１００）を駆動する整流装置（ＢＲ１０１）を備え、
前記整流装置はブリッジ整流器或いは半波整流器より構成することが可能であり、前記整流装置（ＢＲ１０１）の数量は一個或いは一個以上であり、
一個の発光ダイオード（ＬＥＤ１０１）順発光電流極性検出器より構成され、或いは二個或いは二個以上の発光ダイオード（ＬＥＤ１０１）順発光電流極性を直列或いは並列接続にして構成され、或いは三個或いは三個以上の発光ダイオード（ＬＥＤ１０１）順発光電流極性を直列・並列・直並列接続にして構成される前記一方向性導電発光ダイオードセット（Ｌ１００）を備え、
前記一方向性導電発光ダイオードセット（Ｌ１００）はニーズによって一セット或いは一セット以上の選択が可能で、前記整流装置（ＢＲ１０１）出力の直流の電気エネルギーによって駆動し、
前記第一インピーダンス（Ｚ１０１）、前記第二インピーダンス（Ｚ１０１）、前記整流装置（ＢＲ１０１）、前記一方向性導電性発光ダイオードセット（Ｌ１００）、前記発光ダイオード（ＬＥＤ１０１）及び上記の各項のオプション補助性回路コンポネントは、ニーズによって設置するかしないかの選択が可能であり、設置数量は一個或いは一個以上で、一個以上を選択する場合、応用時の回路機能のニーズによって、相対極性関係を選定し、直列、並列、直並列に接続することを特徴とする脈動の電気エネルギーによる並列共振ＬＥＤ一方向性駆動回路。
【請求項２】
少なくとも一個の第二コンデンサー（Ｃ１００）によって構成され、特に二極性コンデンサーによって構成され、数量は一個或いは一個以上であって、或いはニーズによって不使用を選択する前記第一インピーダンス（Ｚ１０１）を備え、
少なくとも一個の第一コンデンサー（Ｃ２００）と少なくとも一個の誘導性インピーダンスコンポネント（Ｉ２００）とによって構成され、特に誘導性インピーダンスコンポネントと二極性コンデンサーとによって構成されることによって、脈動の電気エネルギーの脈動周期と同じであって、かつ並列共振状態形成し、数量は一個或いは一個以上が可能である前記第二インピーダンス（Ｚ１０２）を備え、
少なくとも一個の前記第一インピーダンス（Ｚ１０１）と少なくとも一個の前記第二インピーダンス（Ｚ１０２）を直列接続し、二者を直列接続後の両端に脈動の電気エネルギーを入力し、また並列共振を示す前記第二インピーダンス（Ｚ１０２）の両端に電気エネルギー分圧を形成し、その分圧する電気エネルギーを前記第二インピーダンス（Ｚ１０２）の両端に並列接続する前記整流装置（ＢＲ１０１）の交流入力端へ伝送し、整流後の電気エネルギーを通して、少なくとも一個の前記一方向性導電発光ダイオードセット（Ｌ１００）を駆動し、
少なくとも一個設置することによって、前記第一インピーダンス（Ｚ１０１）或いは前記第二インピーダンス（Ｚ１０２）の両端からの分圧電気エネルギーを入力し、或いは二個或いは二個以上を設置し、別々に前記第一インピーダンス（Ｚ１０１）及び前記第二インピーダンス（Ｚ１０２）の両端からの分圧電気エネルギーを入力し、前記第一インピーダンス（Ｚ１０１）或いは前記第二インピーダンス（Ｚ１０２）の両端の分圧する電気エネルギーを直流の電気エネルギーに整流し、前記一方向性導電発光ダイオードセット（Ｌ１００）を駆動する整流装置（ＢＲ１０１）を備え、
前記整流装置はブリッジ整流器或いは半波整流器より構成することが可能であり、前記整流装置（ＢＲ１０１）の数量は一個或いは一個以上であり、
一個の発光ダイオード順発光電流極性検出器より構成するか、或いは二個或いは二個以上の発光ダイオード順発光電流極性を直列或いは並列接続にして構成するか、或いは三個或いは三個以上の発光ダイオード順発光電流極性を直列・並列・直並列接続にして構成し、ニーズによって一セット或いは一セット以上の選択が可能で、前記整流装置（ＢＲ１０１）出力の直流の電気エネルギーによって駆動する一方向性導電発光ダイオードセット（Ｌ１００）を備え、
前記整流装置（ＢＲ１０１）の交流入力端は、前記第二インピーダンス（Ｚ１０２）の両端に並列共振する相対分圧電気エネルギーを受けることによって、前記一方向性導電発光ダイオードセット（Ｌ１００）を駆動し、また前記第一インピーダンス（Ｚ１０１）のインピーダンスを通して電流を制限し、前記第一インピーダンス（Ｚ１０１）に前記第二コンデンサー（Ｃ１００）を選用するとき、キャパシティブインピーダンスを通して出力電流を制限し、
オプションコンポネントであって、前記第一インピーダンス（Ｚ１０１）に前記第二コンデンサー（Ｃ１００）を選用するとき、前記第一インピーダンス（Ｚ１０１）を構成する前記第二コンデンサー（Ｃ１００）の両端に並列接続することによって、前記第二コンデンサー（Ｃ１００）の残留電荷を放電する放電抵抗（Ｒ１０１）を備え、
オプションコンポネントであって、個別前記一方向性導電発光ダイオードセット（Ｌ１００）を構成する前記発光ダイオード（ＬＥＤ１０１）を直列に接続することによって、前記発光ダイオード（ＬＥＤ１０１）の通過電流を制限し、誘導性インピーダンス（Ｉ１０３）によって取り替えられることが可能である限流抵抗（Ｒ１０３）を備え、
前記第一インピーダンス（Ｚ１０１）、前記第二インピーダンス（Ｚ１０２）、前記整流装置（ＢＲ１０１）及び前記一方向性導電発光ダイオードセット（Ｌ１００）によって上記の線路構造に従って接続し、ＬＥＤ一方向性駆動回路（Ｕ１００）を構成することを特徴とする請求項１に記載の脈動の電気エネルギーによる並列共振ＬＥＤ一方向性駆動回路。
【請求項３】
前記一方向性導電発光ダイオードセット（Ｌ１００）を通して、前記整流装置（ＢＲ１０１）と前記第二インピーダンス（Ｚ１０２）を経て、並列接続の電流分流効果を形成し、電源電圧が変動するとき、前記一方向性導電発光ダイオードセット（Ｌ１００）の両端の電源電圧変動率を減少させることが可能であることを特徴とする請求項１に記載の脈動の電気エネルギーによる並列共振ＬＥＤ一方向性駆動回路。
【請求項４】
更に前記一方向性導電発光ダイオードセット（Ｌ１００）を構成する前記発光ダイオード（ＬＥＤ１０１）の両端をツェナーダイオードと並列接続し、或いは前記ツェナーダイオードをまず少なくとも一個のダイオードと直列接続し、ツェナー電圧効果を生じさせてから、再び前記発光ダイオード（ＬＥＤ１０１）の両端と並列に接続する脈動の電気エネルギーによる並列共振ＬＥＤ一方向性駆動回路であって、
前記ＬＥＤ一方向性駆動回路（Ｕ１００）の中に、前記一方向性導電発光ダイオードセット（Ｌ１００）を構成する前記発光ダイオード（ＬＥＤ１０１）の両端をツェナーダイオード（ＺＤ１０１）と並列接続し、その極性関係は前記ツェナーダイオード（ＺＤ１０１）のツェナー電圧によって、前記発光ダイオード（ＬＥＤ１０１）の両端の工作電圧を制限するか、
或いは、前記ＬＥＤ一方向性駆動回路（Ｕ１００）の中で、前記一方向性導電発光ダイオードセット（Ｌ１００）を構成する前記発光ダイオード（ＬＥＤ１０１）の両端に、前記ツェナーダイオード（ＺＤ１０１）を並列接続し、前記ツェナーダイオード（ＺＤ１０１）はニーズによってダイオード（ＣＲ２０１）と前記ツェナーダイオード（ＺＤ１０１）を直列接続することによって、共同してツェナー電圧効果の機能を形成し、（１）ツェナーダイオード（ＺＤ１０１）を保護し、不正常な逆方向電流を防ぐことが可能である；２）ダイオード（ＣＲ２０１）とツェナーダイオード（ＺＤ１０１）の二者は、温度補償効果を持っていることで発光ダイオードを保護し、異常電圧による損傷や寿命短縮を防ぐことを特徴とする請求項１に記載の脈動の電気エネルギーによる並列共振ＬＥＤ一方向性駆動回路。
【請求項５】
更に前記発光ダイオード（ＬＥＤ１０１）に充放電可能装置（ＥＳＤ１０１）を設置し、前記充放電可能装置（ＥＳＤ１０１）はアットランダムに充電或いは電気エネルギーを釈放し、或いは断電時、前記充放電可能装置（ＥＳＤ１０１）より貯蔵した電気エネルギーを出力することより、前記充放電可能装置（ＥＳＤ１０１）を駆動し、
更に前記一方向性導電発光ダイオードセット（Ｌ１００）を前記充放電可能装置（ＥＳＤ１０１）と接続し、前記発光ダイオード（ＬＥＤ１０１）と限流抵抗（Ｒ１０３）を直列接続後の両端に、或いは直接前記発光ダイオード（ＬＥＤ１０１）両端に、極性に従って前記充放電可能装置（ＥＳＤ１０１）を並列接続し、前記充放電可能装置（ＥＳＤ１０１）はアットランダムに充電或いは電気エネルギーを放出することによって、発光ダイオード（ＬＥＤ１０１）の発光作動を安定させ、断電時、前記充放電可能装置（ＥＳＤ１０１）より貯蔵した電気エネルギーを出力することより、前記発光ダイオード（ＬＥＤ１０１）を駆動して持続発光させ、
前記充放電可能装置（ＥＳＤ１０１）は、各種のよく使われる充放電可能な電池・超コンデンサ・コンデンサによって構成され、発光ダイオードの発光安定性を高めることを特徴とする請求項１に記載の脈動の電気エネルギーによる並列共振ＬＥＤ一方向性駆動回路。
【請求項６】
前記一方向性導電発光ダイオードセット（Ｌ１００）中、一セットの前記一方向性導電発光ダイオードセット（Ｌ１００）を選択設置し、或いは一セット以上の前記一方向性導電発光ダイオードセット（Ｌ１００）を選択設置し、直列・並列・直並列に接続することが可能であり、一セット或いは一セット以上を選択設置した場合、共同して同一インピーダンス（Ｚ１０２）の分圧電気エネルギーを受け、マッチする前記整流装置（ＢＲ１０１）より駆動され、或いは多セットの直列或いは並列に接続する前記第二インピーダンス（Ｚ１０２）より個別マッチされ、多セットの前記第二インピーダンス（Ｚ１０２）の分圧電気エネルギーから、個別前記整流装置（ＢＲ１０１）を経て、個別マッチの前記一方向性導電発光ダイオードセット（Ｌ１００）を駆動することを特徴とする請求項１に記載の脈動の電気エネルギーによる並列共振ＬＥＤ一方向性駆動回路。
【請求項７】
充放電可能装置（ＥＳＤ１０１）を設けた場合、前記一方向性導電発光ダイオードセット（Ｌ１００）の中の前記発光ダイオード（ＬＥＤ１０１）を駆動し、連続直流によって通電発光することを特徴とする請求項１に記載の脈動の電気エネルギーによる並列共振ＬＥＤ一方向性駆動回路。
【請求項８】
充放電装置（ＥＳＤ１０１）を設置しない場合、前記発光ダイオード（ＬＥＤ１０１）は断続導電となり、前記発光ダイオード（ＬＥＤ１０１）は入力電圧波形及び導電と断電時間の割合に従って、また通電発光時の順電流値を相対選定し、さらに前記一方向性導電性発光ダイオードセット（Ｌ１００）の各発光ダイオードの通電発光時の順電圧ピーク値を相対選択するによって、回路中の前記発光ダイオード（ＬＥＤ１０１）は断続導電の駆動状態である場合、導電と断電時間の割合によって、定格順電圧より高い値を通電発光の順電圧ピーク値として選定し、ただし原則として、通電発光の順電圧ピーク値は前記発光ダイオード（ＬＥＤ１０１）にダメージを与えてはならないことを特徴とする請求項１に記載の脈動の電気エネルギーによる並列共振ＬＥＤ一方向性駆動回路。
【請求項９】
充放電装置（ＥＳＤ１０１）を設置しない場合、通電発光の順電圧の高低及び波形は、順電圧が順電流に対するレシオの電流大小及び電流波形を形成し、ただし原則として、通電発光の順電圧ピーク値は発光ダイオード（ＬＥＤ１０１）にダメージを与えてはならないことを特徴とする請求項１に記載の脈動の電気エネルギーによる並列共振ＬＥＤ一方向性駆動回路。
【請求項１０】
応用するとき、電気エネルギーの入力は、１．直流脈動の電気エネルギーを入力するか、或いは、２．直流電源を固定或いは可変電圧に転換し、さらに固定或いは可変周期の直流脈動の電気エネルギーを入力するか、或いは、３．交流の電気エネルギーを直流の電気エネルギーに整流し、固定或いは可変電圧に再転換し、さらに固定或いは可変周期の直流脈動の電気エネルギーを入力するか、或いは、４．固定或いは可変電圧及び固定或いは可変周波数の交流の電気エネルギーを入力し、半波或いは全波の直流脈動の電気エネルギーに整流することを特徴とする請求項１に記載の脈動の電気エネルギーによる並列共振ＬＥＤ一方向性駆動回路。
【請求項１１】
直列式電気エネルギーパワーコントローラーを直列接続することが可能で、直列式電気エネルギーパワーコントローラーの構成は、
メカトロニクスコンポネント或いは固体パワーコンポネント及び電子回路関連コンポネントによって構成され、直流脈動の電気エネルギーの出力パワーを制御する直列式直流の電気エネルギーパワーコントローラー（３３０）と、
メカトロニクスコンポネント或いは固体パワーコンポネント及び電子回路関連コンポネントによって構成され、二方向性電気エネルギーの出力パワーを制御する直列式二方向性電気エネルギーパワーコントローラー（３００）と、
を備え、
回路の作動機能は、
前記直列式直流の電気エネルギーパワーコントローラー（３３０）に直列接続され、二者を直列接続してから、電源からの直流脈動の電気エネルギーを入力し、前記直列式直流の電気エネルギーパワーコントローラー（３３０）を通して、電源からの脈動の電気エネルギーを調整制御し、またパルス幅変調を行い、或いは導電の位相角を制御し、或いはインピーダンスの調整制御方式でパワーを調整制御することによって駆動されるか、
或いは、前記直列式二方向性電気エネルギーパワーコントローラー（３００）を前記第二インピーダンス（Ｚ１０２）と前記整流装置（ＢＲ１０１）の交流入力端の間に直列接続し、前記直列式二方向性電気エネルギーパワーコントローラー（３００）を経由して、前記第二インピーダンス（Ｚ１０２）の両端からの並列共振する交流分圧二方向性電気エネルギーを制御し、またパルス幅変調或いは導電の位相角を制御し、或いはインピーダンスの調整制御方式でパワーを制御することによって、前記整流装置（ＢＲ１０１）を経て前記一方向性導電発光ダイオードセット（Ｌ１００）を駆動するか、
或いは、前記直列式直流の電気エネルギーパワーコントローラー（３３０）を前記整流装置（ＢＲ１０１）の直流出力端と前記一方向性導電発光ダイオードセット（Ｌ１００）の間を直列接続し、前記直列式直流の電気エネルギーパワーコントローラー（３３０）を経て、前記整流装置（ＢＲ１０１）からの直流の電気エネルギーをパルス幅変調を行い、或いは導電の位相角を制御し、或いはインピーダンスの調整制御方式でパワーを調整制御することによって、前記一方向性導電発光ダイオードセット（Ｌ１００）を駆動することを特徴とする請求項１に記載の脈動の電気エネルギーによる並列共振ＬＥＤ一方向性駆動回路。
【請求項１２】
並列式電気エネルギーパワーコントローラーと並列に接続することが可能で、前記並列式電気エネルギーパワーコントローラーの構成は、
メカトロニクスコンポネント或いは固体パワーコンポネント及び電子回路関連コンポネントによって構成され、直流脈動の電気エネルギーの出力パワーを制御する並列式直流の電気エネルギーパワーコントローラー（４３０）と、
メカトロニクスコンポネント或いは固体パワーコンポネント及び電子回路関連コンポネントによって構成され、二方向性電気エネルギーの出力パワーを制御する並列式二方向性電気エネルギーパワーコントローラー（４００）と、
を備え、
回路の作動機能において、
１．前記並列式直流の電気エネルギーパワーコントローラー（４３０）の出力端に並列接続され、かつ前記並列式直流の電気エネルギーパワーコントローラー（４３０）の入力端へ電源からの直流脈動の電気エネルギーを入力し、前記並列式直流の電気エネルギーパワーコントローラー（４３０）を通して、電源からの直流脈動の電気エネルギーを調整制御し、パルス幅変調を行い、或いは導電の位相角を制御し、或いはインピーダンスを調整制御する方式でパワーを調整制御することより、駆動されるか、
或いは、２．前記並列式二方向性電気エネルギーパワーコントローラー（４００）の出力端は前記整流装置（ＢＲ１０１）の交流入力端に並列接続し、前記並列式二方向性電気エネルギーパワーコントローラー（４００）の入力端は、前記第二インピーダンス（Ｚ１０２）に並列接続し、前記並列式二方向性電気エネルギーパワーコントローラー（４００）を通して、前記第二インピーダンス（Ｚ１０２）の両端からの並列共振の交流分圧二方向性電気エネルギーを調整制御し、パルス幅変調を行い、或いは導電の位相角をコントロールし、或いはインピーダンスの調整制御方式でパワーを調整制御することによって、前記整流装置（ＢＲ１０１）によって直流の電気エネルギーに整流することより、前記一方向性導電発光ダイオードセット（Ｌ１００）を駆動するか、
或いは、３．前記並列式直流の電気エネルギーパワーコントローラー（４３０）の出力端を前記一方向性導電発光ダイオードセット（Ｌ１００）と並列接続し、かつ前記並列式直流の電気エネルギーパワーコントローラー（４３０）の入力端を前記整流装置（ＢＲ１０１）の直流出力端と並列接続し、前記並列式直流の電気エネルギーパワーコントローラー（４３０）を通して、前記整流装置（ＢＲ１０１）からの直流の電気エネルギーを調整制御し、パルス幅変調を行い、或いは導電の位相角を制御し、或いはインピーダンスを調整制御する方式でパワーを調整制御することによって、前記一方向性導電発光ダイオードセット（Ｌ１００）を駆動することを特徴とする請求項１に記載の脈動の電気エネルギーによる並列共振ＬＥＤ一方向性駆動回路。
【請求項１３】
ＤＣ−ＤＣコンバータの電気エネルギーで駆動することが可能で、その構成は、
よく使われるメカトロニクス或いは固体パワーコンポネント及び電子回路関連コンポネントより構成され、入力端へ直流の電気エネルギーを入力し、出力端はニーズによって選定した固定或いは可変電圧及び固定或いは可変周期の直流脈動の電気エネルギーを出力するＤＣ−ＤＣコンバータ（５０００）を備え、
回路の作動機能において、
前記ＤＣ−ＤＣコンバータ（５０００）の前記入力端へ直流の電気エネルギーを入力し、前記出力端から直流脈動の電気エネルギーが出力され、かつ前記ＤＣ−ＤＣコンバータ（５０００）の前記出力端と並列に接続され、かつ前記ＤＣ−ＤＣコンバータ（５０００）の前記入力端は、ニーズによって選定する固定或いは可変電圧の直流電気エネルギーを入力し、或いは交流電気エネルギーを直流電気エネルギーに整流してから入力し、
前記ＤＣ−ＤＣコンバータ（５０００）の前記出力端が、ニーズによって選定した固定或いは可変電圧及び固定或いは可変周期の脈動の電気エネルギーを出力することによって制御及び駆動され、
また前記ＤＣ−ＤＣコンバータ（５０００）出力パワー制御によって、或いは出力する電気エネルギーに対して、パルス幅変調を行い、或いは導電の位相角を制御し、或いはインピーダンス制御方式でパワーを制御することによって、制御及び駆動されることを特徴とする請求項１に記載の脈動の電気エネルギーによる並列共振ＬＥＤ一方向性駆動回路。
【請求項１４】
少なくとも一個のよく使うインピーダンスコンポネント（５００）と直列接続してから、電源と並列接続し、
前記インピーダンスコンポネント（５００）は、
１．キャパシティブインピーダンス特性を持つコンポネントよりを構成するか、
或いは、２．誘導性インピーダンス特性を持つデバスよりを構成するか、
或いは、３．抵抗性インピーダンス特性を持つコンポネントよりを構成するか、
或いは、４．単一インピーダンスコンポネントが同時にキャパシティブインピーダンス或いは誘導性インピーダンス或いは抵抗性インピーダンスの中で少なくとも二種の合成インピーダンス特性を持つコンポネントより構成されることによって、直流性質のインピーダンス或いは交流性質のインピーダンスを提供し、
或いは、５．単一インピーダンスコンポネントが誘導性インピーダンス及びキャパシティブインピーダンスの合成インピーダンス特性を持つコンポネントより構成され、かつその固有共振周波数と通過する二方向性或いは一方向性脈動の電気エネルギーの周波数或いは周期は同じで、また並列共振状態になることが可能であるか、
或いは、６．キャパシティブインピーダンスコンポネント或いは誘導性インピーダンスコンポネント或いは抵抗性インピーダンスコンポネントより構成され、その中の一種或いは一種以上を含む、及び一個或いは一個以上のインピーダンスコンポネントより構成され、或いは二種或いは二種以上の直列に接続するインピーダンスコンポネントを採用し、或いは並列や直並列接続より構成され、直流性質のインピーダンス或いは交流性質のインピーダンスを提供するか、
或いは、７．キャパシティブインピーダンスコンポネントと誘導性インピーダンスコンポネントが互いに直列に接続することより構成され、二者を直列接続後の固有直列共振周波数は、通過する二方向性或いは一方向性脈動の電気エネルギーの周波数や周期は同じで、かつ直列共振状態を形成し、また相対的にキャパシティブインピーダンスコンポネント或いは誘導性インピーダンスコンポネントの両端に、直列共振を示す相対端の電圧を形成することが可能であるか、
或いは、キャパシティブインピーダンスと誘導性インピーダンスを互いに並列接続し、並列接続後の固有並列共振周波数は、通過する二方向性いは一方向性脈動の電気エネルギーの周波数或いは周期は同じで、かつ並列共振状態を形成し、及び相対端の電圧を形成することが可能であることを特徴とする請求項１に記載の脈動の電気エネルギーによる並列共振ＬＥＤ一方向性駆動回路。
【請求項１５】
前記第二インピーダンス（Ｚ１０２）の誘導性インピーダンスコンポネント（Ｉ２００）の選択は、更に誘導効果を持つ変圧器の電源巻線に換えることが可能で、その中の単巻変圧器（ＳＴ２００）は昇圧機能を持つ単巻変圧巻線（Ｗ０）を備え、
前記単巻変圧器（ＳＴ２００）の前記単巻変圧巻線（Ｗ０）のｂ・ｃ端を電源側とし、前記第二インピーダンス（Ｚ１０２）の中の前記誘導性インピーダンスコンポネント（Ｉ２００）を取り替えることによって、コンデンサー（Ｃ２００）と並列に接続し、並列接続後の固有並列共振周波数は、電源からの脈動の電気エネルギーの脈動周期と同じで、かつ並列共振状態を形成することによって、前記第二インピーダンス（Ｚ１０２）を構成し、前記第一インピーダンス（Ｚ１０１）を構成するコンデンサー（Ｃ１００）と直列に接続し、前記コンデンサー（Ｃ２００）は前記単巻変圧器（ＳＴ２００）のタップ（ＴＡＰ）のａ、ｃ間或いはｂ、ｃ間或いはほかのニーズによってタップ間での並列接続の選択が可能で、前記単巻変圧器（ＳＴ２００）の前記単巻変圧巻線（Ｗ０）のａ、ｃ出力端から昇圧交流の電気エネルギーを出力し、前記整流装置（ＢＲ１０１）の交流入力端へ出力し、かつ前記整流装置（ＢＲ１０１）の直流出力端によって、前記一方向性導電発光ダイオードセット（Ｌ１００）を駆動することを特徴とする請求項１に記載の脈動の電気エネルギーによる並列共振ＬＥＤ一方向性駆動回路。
【請求項１６】
前記第二インピーダンス（Ｚ１０２）の誘導性インピーダンスコンポネント（Ｉ２００）の選択は、更に誘導効果を持つ変圧器の電源巻線に換えることが可能で、その中の単巻変圧器（ＳＴ２００）は降圧機能を持つ単巻変圧巻線（Ｗ０）を備え、
前記単巻変圧器（ＳＴ２００）の前記単巻変圧巻線（Ｗ０）のａ・ｃ端を電源側とし、前記第二インピーダンス（Ｚ１０２）の中の前記誘導性インピーダンスコンポネント（Ｉ２００）を取り替えることによって、コンデンサー（Ｃ２００）と並列に接続し、並列接続後の固有並列共振周波数は、電源からの脈動の電気エネルギーの脈動周期と同じで、かつ並列共振状態を形成することによって、前記第二インピーダンス（Ｚ１０２）を構成し、前記第一インピーダンス（Ｚ１０１）を構成するコンデンサー（Ｃ１００）と直列に接続し、前記コンデンサー（Ｃ２００）は前記単巻変圧器（ＳＴ２００）のタップ（ＴＡＰ）のａ、ｃ間或いはｂ、ｃ間或いはほかのニーズによってタップ間での並列接続の選択が可能で、前記単巻変圧器（ＳＴ２００）の前記単巻変圧巻線（Ｗ０）のｂ、ｃ出力端から降圧交流の電気エネルギーを出力し、前記整流装置（ＢＲ１０１）の交流入力端へ出力し、かつ前記整流装置（ＢＲ１０１）の直流出力端によって、一方向性導電発光ダイオードセット（Ｌ１００）を駆動することを特徴とする請求項１に記載の脈動の電気エネルギーによる並列共振ＬＥＤ一方向性駆動回路。
【請求項１７】
前記第二インピーダンス（Ｚ１０２）の誘導性負荷インピーダンスコンポネント（Ｉ２００）の選択は、誘導効果を持つ変圧器の電源巻線に換えることが可能で、その中の分離式変圧器（ＩＴ２００）は一次巻線セット（Ｗ１）及び二次巻線セット（Ｗ２）によって構成され、
前記一次巻線（Ｗ１）と前記二次巻線（Ｗ２）との二者が分離され、前記一次巻線（Ｗ１）はコンデンサー（Ｃ２００）と並列に接続し、並列接続後の固有並列共振周波数は、電源からの脈動の電気エネルギーの脈動周期と同じであって、かつ並列共振状態を形成することによって、前記第二インピーダンス（Ｚ１０２）を構成してから、前記第一インピーダンス（Ｚ１０１）を構成するコンデンサー（Ｃ１００）と直列に接続し、前記コンデンサー（Ｃ２００）は単巻変圧器（ＳＴ２００）のタップ（ＴＡＰ）のａ、ｃ間或いはｂ、ｃ間或いはほかのニーズによってタップ間での並列接続の選択が可能であり、分離式変圧器（ＩＴ２００）の前記二次巻線（Ｗ２）の出力電圧は、ニーズによって昇圧或いは降圧の選択が可能で、二次巻線出力の交流電気エネルギーは、前記整流装置（ＢＲ１０１）の交流入力端へ出力し、前記整流装置（ＢＲ１０１）の直流出力端は、前記一方向性導電発光ダイオードセット（Ｌ１００）へ出力し、
上記の変圧器の電源巻線によって前記第二インピーダンス（Ｚ１０２）中の前記誘導性インピーダンスコンポネント（Ｉ２００）を取り替え、前記コンデンサー（Ｃ２００）と並列に接続する並列共振によって、前記第二インピーダンス（Ｚ１０２）を構成し、また前記分離式変圧器（ＩＴ２００）の二次側昇圧出力する交流電圧或いは降圧出力する交流の電気エネルギーは、前記整流装置（ＢＲ１０１）の交流入力端へ出力してから、前記整流装置（ＢＲ１０１）の出力端の直流の電気エネルギーへ出力することによって、前記一方向性導電発光ダイオードセット（Ｌ１００）を駆動することを特徴とする請求項１に記載の脈動の電気エネルギーによる並列共振ＬＥＤ一方向性駆動回路。
【発明の詳細な説明】
【技術分野】
【０００１】
本発明は、脈動の電気エネルギーによる並列共振ＬＥＤ一方向性駆動回路に関し、特に脈動の電気エネルギーを電源とし、キャパシティブインピーダンスコンポネント、誘導性インピーダンスコンポネントまた抵抗性インピーダンスコンポネントによって第一インピーダンスを構成し、さらに並列接続してからの固有並列共振（parallel resonance）周波数と脈動の電気エネルギーの脈動周期とが同じであって、かつ並列共振を形成する誘導性インピーダンスコンポネントとキャパシティブインピーダンスコンポネントとを採用し、二者を並列接続することによって第二インピーダンスを構成し、第一インピーダンスと第二インピーダンスとを直列に接続し、直列接続してからの両端へ脈動の直流の電気エネルギーを入力し、直列に接続する第一インピーダンス及び並列共振する第二インピーダンスによって、入力する脈動の直流の電気エネルギーの電圧を分圧させ、分圧する電気エネルギーによって、整流装置を経て一方向性直流の電気エネルギーと整流することより、一方向性導電の発光ダイオードを駆動するものに関する。
【背景技術】
【０００２】
伝統的な交流の電気エネルギー或いは直流の電気エネルギーをＬＥＤ駆動回路の電源とするとき、ＬＥＤ電流を制限するために、通常は限流抵抗を直列接続してインピーダンスとするが、直列抵抗性インピーダンスの電圧が下がると、損電気エネルギーがロスし、さらに熱が溜まるという欠点である。
【発明の概要】
【発明が解決しようとする課題】
【０００３】
本発明は、上記の問題を解決するためになされたものであり、高周波脈動の電気エネルギーの電源へ応用するとき、小型化・軽量化・コスト削減が可能な脈動の電気エネルギーによる並列共振ＬＥＤ一方向性駆動回路を提供する。
【課題を解決するための手段】
【０００４】
上記目的を達成するため、本発明に係る脈動の電気エネルギーによる並列共振ＬＥＤ一方向性駆動回路は、一種の脈動の電気エネルギーを電源とし、キャパシティブインピーダンスコンポネント、誘導性インピーダンスコンポネントまたは抵抗性インピーダンスコンポネントによって、第一インピーダンスを構成し、さらに並列接続後の固有並列共振周波数と脈動の電気エネルギーの脈動周期とが同じであって、かつ並列共振を形成する誘導性インピーダンスコンポネントとキャパシティブインピーダンスコンポネントとを採用し、二者を並列接続することによって第二インピーダンスを構成し、第一インピーダンスと第二インピーダンスを直列に接続し、直列接続後の両端へ脈動の直流の電気エネルギーを電源として入力する。またそれは、直流脈動の電気エネルギーを入力するか、或いは、直流電源を固定或いは可変電圧に転換し、さらに固定或いは可変周期の直流脈動の電気エネルギーを入力するか、或いは、交流の電気エネルギーを直流の電気エネルギーに整流し、固定或いは可変電圧に再転換し、さらに固定或いは可変周期の直流脈動の電気エネルギーを入力するか、或いは、固定或いは可変電圧及び固定或いは可変周波数の交流の電気エネルギーを入力し、半波或いは全波の直流脈動の電気エネルギーに整流してもよい。
【０００５】
直列接続する第一インピーダンス及び並列共振する第二インピーダンスによって、入力する脈動の直流の電気エネルギーの電圧を分圧させ、分圧する電気エネルギーによって、整流装置を経て一方向性直流の電気エネルギーと整流することより、一方向性導電の発光ダイオードを駆動する。本発明の脈動の電気エネルギーによる並列共振ＬＥＤ一方向性駆動回路を高周波脈動の電気エネルギーの電源へ応用すると、小型化・軽量化・コスト削減が可能である。
【図面の簡単な説明】
【０００６】
【図１】本発明の実施形態による脈動の電気エネルギーによる並列共振ＬＥＤ一方向性駆動回路を示すブロック図である。
【図２】本発明の第１実施形態による脈動の電気エネルギーによる並列共振ＬＥＤ一方向性駆動回路の回路例を示す模式図である。
【図３】本発明の第２実施形態による脈動の電気エネルギーによる並列共振ＬＥＤ一方向性駆動回路の他の回路例を示す模式図である。
【図４】本発明の第３実施形態による脈動の電気エネルギーによる並列共振ＬＥＤ一方向性駆動回路のさらに他の回路例を示す模式図である。
【図５】本発明の第３実施形態による脈動の電気エネルギーによる並列共振ＬＥＤ一方向性駆動回路のまたさらに他の回路例を示す模式図である。
【図６】本発明の第４実施形態による脈動の電気エネルギーによる並列共振ＬＥＤ一方向性駆動回路において能動制御回路装置を選択接続する回路例を示すブロック図である。
【図７】本発明の第５実施形態による脈動の電気エネルギーによる並列共振ＬＥＤ一方向性駆動回路において能動制御回路装置を選択接続する回路例を示すブロック図である。
【図８】本発明の第６実施形態による脈動の電気エネルギーによる並列共振ＬＥＤ一方向性駆動回路において能動制御回路装置を選択接続する回路例を示すブロック図である。
【図９】本発明の第７実施形態による脈動の電気エネルギーによる並列共振ＬＥＤ一方向性駆動回路において能動制御回路装置を選択接続する回路例を示すブロック図である。
【図１０】本発明の第８実施形態による脈動の電気エネルギーによる並列共振ＬＥＤ一方向性駆動回路において能動制御回路装置を選択接続する制御回路例を示すブロック図である。
【図１１】本発明の第９実施形態による脈動の電気エネルギーによる並列共振ＬＥＤ一方向性駆動回路の昇圧回路例を示す模式図である。
【図１２】本発明の第９実施形態による脈動の電気エネルギーによる並列共振ＬＥＤ一方向性駆動回路の降圧回路例を示す模式図である。
【図１３】本発明の第９実施形態による脈動の電気エネルギーによる並列共振ＬＥＤ一方向性駆動回路の回路例を示す模式図である。
【発明を実施するための形態】
【０００７】
本発明の実施形態による脈動の電気エネルギーによる並列共振ＬＥＤ一方向性駆動回路は、少なくとも一個のキャパシティブインピーダンスコンポネント、誘導性インピーダンスコンポネント或いは抵抗性インピーダンスコンポネントによって第一インピーダンスを構成し、第二インピーダンスは少なくとも一個のキャパシティブインピーダンスコンポネントと少なくとも一個の誘導性インピーダンスコンポネントを並列接続し、並列接続後の固有並列共振周波数と脈動の電気エネルギーの脈動周期とは同じであって、かつ電源の脈動の電気エネルギーを入力するとき、並列共振状態を示す。
【０００８】
第一インピーダンスと第二インピーダンスとを直列接続してからの両端へ電源からの脈動の電気エネルギーを入力し、電源からの脈動の電気エネルギーによって、並列共振する第二インピーダンスに分圧する電気エネルギーを形成し、また第二インピーダンスの並列共振状態である相対分圧する電気エネルギーを整流装置の交流の電気エネルギー入力端へ伝送し、整流装置の直流出力端から直流の電気エネルギーを出力する。
【０００９】
少なくとも一個の発光ダイオードによって一方向性導電の発光ダイオードセットを構成し、整流装置から出力する直流の電気エネルギーによって駆動する。
少なくとも一個の整流装置の交流入力端へ第一インピーダンスの両端からの分圧する電気エネルギーを入力し、或いは第二インピーダンスからの分圧する電気エネルギーを入力する。
【００１０】
整流後の直流の電気エネルギーによって少なくとも一個の一方向性導電発光ダイオードセットを駆動する。
図１は、本発明の実施形態による脈動の電気エネルギーによる並列共振ＬＥＤ一方向性駆動回路を示す模式図である。図１において、ＬＥＤ一方向性駆動回路Ｕ１００による関連回路機能の作動を示す。ＬＥＤ一方向性駆動回路Ｕ１００は、第一インピーダンスＺ１０１と、第二インピーダンスＺ１０２と、整流装置ＢＲ１０１と、方向性導電発光ダイオードセットＬ１００と、を備える。
【００１１】
第一インピーダンスＺ１０１は、キャパシティブインピーダンスコンポネント、誘導性インピーダンスコンポネントまたは抵抗性インピーダンスコンポネントの中の一種或いは一種以上及び一個或いは一個以上のインピーダンスコンポネントによって構成され、或いは採用二種或いは二種以上のインピーダンスコンポネントによって構成される。かつ各種インピーダンスコンポネントは一個或いは一個以上で、直列、並列または直並列接続によって構成される。
【００１２】
或いは、第一インピーダンスＺ１０１は、少なくとも一個のキャパシティブインピーダンスコンポネントと少なくとも一個の誘導性インピーダンスコンポネントとを互いに直列接続し、二者を直列接続後の固有直列共振（series resonance）周波数と周期交換極性直流電源の周期とが同じであって、かつ直列共振状態を形成する。
或いは、第一インピーダンスＺ１０１は、少なくとも一個のキャパシティブインピーダンスコンポネント及び少なくとも一個の誘導性インピーダンスコンポネントが互いに並列接続し、二者を並列接続後の固有並列共振周波数と周期交換極性直流電源周期とが同じであって、かつ並列共振状態を形成する。 
【００１３】
第二インピーダンスＺ１０２は、少なくとも一個の誘導性インピーダンスコンポネントと少なくとも一個のコンデンサーＣ２００とが並列接続して構成し、二者を並列接続後の固有並列共振周波数と脈動の電気エネルギーの脈動周期とが同じであって、かつ相対する並列共振周波数の低エネルギー消耗性変化極性のエネルギー貯蔵状態及び端子電圧状態を形成する。
【００１４】
本発明の実施形態による脈動の電気エネルギーによる並列共振ＬＥＤ一方向性駆動回路は、ニーズによってキャパシティブインピーダンスコンポネント、誘導性インピーダンスコンポネントまたは抵抗性インピーダンスコンポネントを選択することが可能で、三者の中から少なくとも一種のインピーダンスコンポネントによって、第一インピーダンスＺ１０１を構成する。
【００１５】
本発明の実施形態による脈動の電気エネルギーによる並列共振ＬＥＤ一方向性駆動回路の第一インピーダンスＺ１０１を不使用と選択し、第二インピーダンスＺ１０２を直接脈動電源に並列接続し、並列共振を形成してもよい。
整流装置ＢＲ１０１は、第一インピーダンスＺ１０１或いは第二インピーダンスＺ１０２の両端に並列接続し、或いは同時に第一インピーダンスＺ１０１及び第二インピーダンスＺ１０２の両端に並列接続することによって、第一インピーダンスＺ１０１或いは第二インピーダンスＺ１０２の両端の分圧する電気エネルギーを直流の電気エネルギーに整流することによって、一方向性導電発光ダイオードセットＬ１００を駆動する。
【００１６】
整流装置はブリッジ整流器或いは半波整流器より構成することが可能である。整流装置ＢＲ１０１の数量は一個或いは一個以上である。
一方向性導電発光ダイオードセットＬ１００は、一個の発光ダイオード順発光電流極性検出器より構成するか、或いは二個或いは二個以上の発光ダイオード順発光電流極性を直列或いは並列接続にして構成するか、或いは三個或いは三個以上の発光ダイオード順発光電流極性を直列、並列または直並列接続にして構成する。
一方向性導電発光ダイオードセットＬ１００は、ニーズによって一セット或いは一セット以上の選択が可能で、整流装置ＢＲ１０１出力の直流の電気エネルギーによって駆動する。
【００１７】
本発明の実施形態において、その回路例のコンポネントの選択を下記に挙げて説明する。
（１）一個の第一インピーダンスＺ１０１と、一個の第二インピーダンスＺ１０２と、一個の整流装置ＢＲ１０１と、一個の一方向性導電発光ダイオードセットＬ１００とによって構成される実施形態を示しているが、実際に応用するとき、関連装置の選択数量を制限しない。
【００１８】
（２）コンデンサーＣ１００のキャパシティブインピーダンスをインピーダンスコンポネントとし、第一インピーダンスＺ１０１を構成する。さらに、コンデンサーＣ２００と誘導性インピーダンスコンポネントＩ２００とを並列接続し、二者を並列接続後の固有並列共振周波数は、電源からの脈動する電気エネルギーの脈動周期と同じであって、かつ並列共振状態を形成することによって、第二インピーダンスＺ１０２を構成する実施形態を示している。実際に応用するとき、第一インピーダンスはニーズによって、各種キャパシティブインピーダンスコンポネント、誘導性インピーダンスコンポネントまたは抵抗性インピーダンスコンポネントを選択し、直列、並列、直並列接続が可能である。
【００１９】
（第１実施形態）
図２は、本発明の第１実施形態による脈動の電気エネルギーによる並列共振ＬＥＤ一方向性駆動回路の回路例を示す模式図であって、その主な構成を以下に示す。
第一インピーダンスＺ１０１は、少なくとも一個のコンデンサーＣ１００によって構成される。特に二極性コンデンサーによって構成される。第一インピーダンスの数量は一個或いは一個以上であって、或いはニーズによって第一インピーダンスＺ１０１の不使用を選択する。
【００２０】
第二インピーダンスＺ１０２は、少なくとも一個のコンデンサーＣ２００と少なくとも一個の誘導性インピーダンスコンポネントＩ２００とによって構成される。特に誘導性インピーダンスコンポネントと二極性コンデンサーとによって構成されることによって、脈動の電気エネルギーの脈動周期と同じであって、かつ並列共振状態形成する。第二インピーダンスの数量は一個或いは一個以上が可能である。
【００２１】
少なくとも一個の第一インピーダンスＺ１０１と少なくとも一個の第二インピーダンスＺ１０２とを直列接続し、二者を直列接続後の両端に脈動の電気エネルギーを入力し、また並列共振を示す第二インピーダンスＺ１０２の両端に電気エネルギー分圧を形成し、その分圧する電気エネルギーを第二インピーダンスＺ１０２の両端に並列接続する整流装置ＢＲ１０１の交流入力端へ伝送し、整流後の電気エネルギーによって少なくとも一個の一方向性導電発光ダイオードセットＬ１００を駆動する。
【００２２】
整流装置ＢＲ１０１は、少なくとも一個設置することによって、第一インピーダンスＺ１０１或いは第二インピーダンスＺ１０２の両端からの分圧電気エネルギーを入力し、或いは二個或いは二個以上の整流装置ＢＲ１０１を設置し、別々に第一インピーダンスＺ１０１及び第二インピーダンスＺ１０２の両端からの分圧電気エネルギーを入力し、第一インピーダンスＺ１０１或いは第二インピーダンスＺ１０２の両端の分圧する電気エネルギーを直流の電気エネルギーに整流し、一方向性導電発光ダイオードセットＬ１００を駆動する。
【００２３】
整流装置はブリッジ整流器或いは半波整流器より構成することが可能である。整流装置ＢＲ１０１の数量は一個或いは一個以上である。
一方向性導電発光ダイオードセットＬ１００は、一個の発光ダイオードＬＥＤ１０１順発光電流極性検出器より構成する。或いは二個或いは二個以上の発光ダイオードＬＥＤ１０１順発光電流極性を直列或いは並列接続にして構成する。或いは三個或いは三個以上の発光ダイオードＬＥＤ１０１順発光電流極性を直列、並列または直並列接続にして構成する。一方向性導電発光ダイオードセットＬ１００は、ニーズによって一セット或いは一セット以上の選択が可能で、整流装置ＢＲ１０１出力の直流の電気エネルギーによって駆動する。
【００２４】
整流装置ＢＲ１０１の交流入力端は、第二インピーダンスＺ１０２の両端に並列共振する相対分圧電気エネルギーを受けることによって、一方向性導電発光ダイオードセットＬ１００を駆動する。また第一インピーダンスＺ１０１のインピーダンスを通して電流を制限する。第一インピーダンスＺ１０１にコンデンサーＣ１００を選択するとき、キャパシティブインピーダンスを通して出力電流を制限する。
【００２５】
放電抵抗Ｒ１０１は、オプションコンポネントである。第一インピーダンスＺ１０１にコンデンサーＣ１００を選用するとき、第一インピーダンスＺ１０１を構成するコンデンサーＣ１００の両端に並列接続することによって、コンデンサーＣ１００の残留電荷を放電する。
限流抵抗Ｒ１０３は、オプションコンポネントである。個別一方向性導電発光ダイオードセットＬ１００を構成する発光ダイオードＬＥＤ１０１を直列に接続することによって、発光ダイオードＬＥＤ１０１の通過電流を制限する。限流抵抗Ｒ１０３は誘導性インピーダンスＩ１０３によって取り替えられることが可能である。
第一インピーダンスＺ１０１、第二インピーダンスＺ１０２、整流装置ＢＲ１０１、及び一方向性導電発光ダイオードセットＬ１００によって、上記の線路構造に従って接続し、ＬＥＤ一方向性駆動回路Ｕ１００を構成する。
【００２６】
また本発明の第１実施形態による脈動の電気エネルギーによる並列共振ＬＥＤ一方向性駆動回路のＬＥＤ一方向性駆動回路Ｕ１００の中で、一方向性導電発光ダイオードセットＬ１００を通して、整流装置ＢＲ１０１と第二インピーダンスＺ１０２とを経て、並列接続の電流分流効果を形成し、電源電圧が変動するとき、一方向性導電発光ダイオードセットＬ１００の両端の電源電圧変動率を減少させることが可能である。
【００２７】
本発明の第１実施形態による脈動の電気エネルギーによる並列共振ＬＥＤ一方向性駆動回路のＬＥＤ一方向性駆動回路Ｕ１００の中で、一方向性導電発光ダイオードセットＬ１００を構成する発光ダイオードＬＥＤ１０１の選択は下記を含む。
一方向性導電発光ダイオードセットＬ１００は、一個の発光ダイオード順発光電流極性を設置することによって構成されるか、或いは、二個或いは二個以上の発光ダイオード順発光電流極性を直列接続或いは並列接続によって構成されるか、或いは三個或いは三個以上の発光ダイオード順発光電流極性を直列接続、並列接続、直並列接続によって構成される。一方向性導電発光ダイオードセットＬ１００はニーズによって一セット或いは一セット以上を選択設置する。
【００２８】
（第２実施形態）
図３は、本発明の第２実施形態による脈動の電気エネルギーによる並列共振ＬＥＤ一方向性駆動回路の回路例を示す模式図である。
本発明の第２実施形態による脈動の電気エネルギーによる並列共振ＬＥＤ一方向性駆動回路においては、発光ダイオードを保護し、かつ発光ダイオードＬＥＤ１０１の異常電圧による損傷や寿命短縮を防ぐために、ＬＥＤ一方向性駆動回路Ｕ１００の中に、更に一方向性導電発光ダイオードセットＬ１００を構成する発光ダイオードＬＥＤ１０１の両端をツェナーダイオードと並列接続し、或いはツェナーダイオードをまず少なくとも一個のダイオードと直列接続し、ツェナー電圧効果を生じさせてから、再び発光ダイオードＬＥＤ１０１の両端と並列に接続する。その構成を以下に示す。
【００２９】
ＬＥＤ一方向性駆動回路Ｕ１００の中において、一方向性導電発光ダイオードセットＬ１００を構成する発光ダイオードＬＥＤ１０１の両端をツェナーダイオードＺＤ１０１と並列接続し、その極性関係はツェナーダイオードＺＤ１０１のツェナー電圧によって、発光ダイオードＬＥＤ１０１の両端の工作電圧を制限する。
【００３０】
ＬＥＤ一方向性駆動回路Ｕ１００の中において、一方向性導電発光ダイオードセットＬ１００を構成する発光ダイオードＬＥＤ１０１の両端に、ツェナーダイオードＺＤ１０１を並列接続し、ツェナーダイオードＺＤ１０１はニーズによってダイオードＣＲ２０１と直列接続することによって、共同してツェナー電圧効果の機能を形成する。その利点は、ツェナーダイオードＺＤ１０１を保護し、不正常な逆方向電流を防ぐことが可能であり、ダイオードＣＲ２０１とツェナーダイオードＺＤ１０１との二者は、温度補償効果を持っていることである。
【００３１】
（第３実施形態）
図４及び図５は、本発明の第３実施形態による脈動の電気エネルギーによる並列共振ＬＥＤ一方向性駆動回路の回路例を示す模式図である。
本発明の第３実施形態による脈動の電気エネルギーによる並列共振ＬＥＤ一方向性駆動回路は、ＬＥＤ一方向性駆動回路Ｕ１００の中に、発光ダイオードの発光安定度を高めるために、更に発光ダイオードＬＥＤ１０１に充放電可能装置ＥＳＤ１０１を設置し、充放電可能装置ＥＳＤ１０１はアットランダムに充電或いは電気エネルギーの放出をすることによって、発光ダイオードＬＥＤ１０１の発光安定度を安定させ、明度の脈動を減少させる。或いは断電時、充放電可能装置ＥＳＤ１０１より貯蔵した電気エネルギーを出力することより、充放電可能装置ＥＳＤ１０１を駆動し、持続発光させる。
【００３２】
図４は回路の発光ダイオード及び直列に接続する限流抵抗の両端を充放電可能装置と並列に接続するときの回路例を示し、図５は、発光ダイオードの両端を充放電可能装置と並列に接続するときの回路例を示す。
本発明の第３実施形態による脈動の電気エネルギーによる並列共振ＬＥＤ一方向性駆動回路の構成を以下に示す。
【００３３】
一方向性導電発光ダイオードセットＬ１００を充放電可能装置ＥＳＤ１０１と接続し、図４に示すように、発光ダイオードＬＥＤ１０１と限流抵抗Ｒ１０３とを直列接続後の両端に、或いは図５に示すように、直接発光ダイオードＬＥＤ１０１両端に、極性に従って充放電可能装置ＥＳＤ１０１を並列接続し、充放電可能装置ＥＳＤ１０１はアットランダムに充電或いは電気エネルギーを放出することによって、発光ダイオードＬＥＤ１０１の発光作動を安定させ、断電時、充放電可能装置ＥＳＤ１０１より貯蔵した電気エネルギーを出力することより、発光ダイオードＬＥＤ１０１を駆動して持続発光させる。
【００３４】
上記の充放電可能装置ＥＳＤ１０１は、各種のよく使われる充放電可能な電池・超コンデンサ・コンデンサによって構成される。
以上に述べた本発明の実施形態において示している回路例の中で、応用のニーズに基づいて、第一インピーダンスＺ１０１、第二インピーダンスＺ１０２、整流装置ＢＲ１０１、一方向性導電発光ダイオードセットＬ１００、発光ダイオードＬＥＤ１０１及び上記の各項の選択補助性回路のコンポネントは、ニーズによって設置するかしないかを選択し、かつその設置数量は一個或いは一個以上の選択を含む。一個以上を選択した場合、回路機能のニーズへの応用に従って、相対極性関係によって、直列、並列または直並列接続の選定が可能である。その構成は下記の通り。
【００３５】
第一インピーダンスＺ１０１は、一個或いは一個以上によって構成され、直列、並列、直並列に接続することが可能である。複数個設置する時、各第一インピーダンスは同じ類別のコンデンサーＣ１００、誘導性インピーダンスコンポネント及び抵抗性インピーダンスコンポネントによって構成され、或いは異なる類別のインピーダンスによって構成される。そのインピーダンス値は同じか或いは異なることが可能である。
【００３６】
第二インピーダンスＺ１０２はコンデンサーＣ２００及び誘導性インピーダンスコンポネントＩ２００を並列に接続することによって構成される。しかも脈動の電気エネルギーの脈動周期と同じであって、並列共振状態を形成する。第二インピーダンスＺ１０２は一個或いは一個以上によって構成され、しかも直列、並列または直並列に接続する。複数個設置する時、各第二インピーダンスは同じか或いは異なる類別のキャパシティブインピーダンスコンポネント或いは誘導性インピーダンスコンポネントを並列に接続することによって構成され、しかも脈動の電気エネルギーの脈動周期と同じであって、並列共振状態を形成する。インピーダンス値は同じか或いは異なってもよく、ただし並列共振周期は同じである。
【００３７】
発光ダイオードＬＥＤ１０１は一個或いは一個以上より構成され、かつ順極性に直列接続、同極性に並列接続、直並列接続することが可能である。
ＬＥＤ一方向性駆動回路Ｕ１００の中において、一方向性導電発光ダイオードセットＬ１００は、一セット或いは一セット以上の一方向性導電発光ダイオードセットＬ１００を選択設置し、直列、並列または直並列に接続することが可能である。一セット或いは一セット以上を選択設置した場合、共同して同一インピーダンスＺ１０２の分圧電気エネルギーを受け、マッチする整流装置ＢＲ１０１より駆動され、或いは多セットの直列或いは並列に接続する第二インピーダンスＺ１０２より個別マッチされ、多セットの第二インピーダンスＺ１０２の分圧電気エネルギーから、個別整流装置ＢＲ１０１を経て、個別マッチの一方向性導電発光ダイオードセットＬ１００を駆動する。
【００３８】
ＬＥＤ一方向性駆動回路Ｕ１００の中に充放電可能装置ＥＳＤ１０１を設けた場合、一方向性導電発光ダイオードセットＬ１００の中の発光ダイオードＬＥＤ１０１を駆動し、連続直流によって通電発光する。
もし充放電可能装置ＥＳＤ１０１を設置しない場合、発光ダイオードＬＥＤ１０１は断続導電となり、発光ダイオードＬＥＤ１０１は入力電圧波形及び導電と断電時間の割合（Duty Cycle）に従って、また通電発光時の順電流値（Forward Current）を相対選定し、かつ一方向性導電性発光ダイオードセットＬ１００を構成する各発光ダイオードの通電発光時の順電圧ピーク値（Peak of Forward Voltage）を相対選択する。その選択は、発光ダイオードＬＥＤ１０１の定格順電圧（Rate Forward Voltage）より低い値を通電発光の順電圧ピーク値とするか、或いは、発光ダイオードＬＥＤ１０１の定格順電圧を通電発光の順電圧ピーク値とするか、或いは、もし回路中発光ダイオードＬＥＤ１０１が断続導電の駆動状態になった場合、導電及び断電時間の割合に従って、また定格順電圧より高い値を通電発光の順電圧ピーク値として相対選定し、ただし原則として、通電発光の順電圧ピーク値は発光ダイオードＬＥＤ１０１にダメージを与えてはならない。
【００３９】
上記の通電発光の順電圧（Forward Voltage）の高低及び波形は、順電圧が順電流に対するレシオ（Forward Voltage vs. Forward Current）の電流大小及び電流波形を形成する。ただし原則として、通電発光の順電圧ピーク値は発光ダイオードＬＥＤ１０１にダメージを与えてはならない。
上記の順向電流（Forward Current）の大小及び波形によって、必要な電流が相対光度に対するレシオ（Forward Current vs. Relative LuminosＩＴy）の照度を形成し或いは照度変化を有段や無段に調整制御する。
【００４０】
放電抵抗Ｒ１０１は一個或いは一個以上によって構成され、しかも直列、並列または直並列接続する。上記装置のオプションが可能である。
限流抵抗Ｒ１０３は一個或いは一個以上によって構成され、しかも直列、並列または直並列接続する。上記装置のオプションが可能である。
誘導性インピーダンスコンポネントＩ１０３は一個或いは一個以上によって構成され、しかも直列、並列または直並列接続する。上記装置のオプションが可能である。
【００４１】
ツェナーダイオードＺＤ１０１は一個或いは一個以上によって構成され、しかも直列、並列または直並列接続する。上記装置のオプションが可能である。
ダイオードＣＲ２０１は一個或いは一個以上によって構成され、しかも直列、並列または直並列接続する。上記装置のオプションが可能である。
充放電可能装置ＥＳＤ１０１は一個或いは一個以上によって構成され、しかも直列、並列または直並列接続する。上記装置のオプションが可能である。
【００４２】
本発明の実施形態による脈動の電気エネルギーによる並列共振ＬＥＤ一方向性駆動回路のＬＥＤ一方向性駆動回路Ｕ１００を応用するとき、各直流の電気エネルギーの入力は、直流脈動の電気エネルギーを入力するか、或いは、直流電源を固定或いは可変電圧に転換し、かつ固定或いは可変周期の直流脈動の電気エネルギーを入力するか、或いは、交流の電気エネルギーを直流の電気エネルギーに整流し、固定或いは可変電圧に再転換し、さらに固定或いは可変周期の直流脈動の電気エネルギーを入力するか、或いは、固定或いは可変電圧及び固定或いは可変周波数の交流の電気エネルギーを入力し、半波或いは全波の直流脈動の電気エネルギーに整流する。
更にニーズによって、下記各能動制御回路装置を選択接続し、その各応用回路は下記の通りである。
【００４３】
（第４実施形態）
図６は、本発明の第４実施形態による脈動の電気エネルギーによる並列共振ＬＥＤ一方向性駆動回路を直列式電気エネルギーパワーコントローラーと直列に接続する回路例を示すブロック図である。直列式電気エネルギーパワーコントローラーの構成を以下に示す。
直列式直流の電気エネルギーパワーコントローラー３３０は、よく使われるメカトロニクスコンポネント或いは固体パワーコンポネント及び電子回路関連コンポネントによって構成され、直流脈動の電気エネルギーの出力パワーを制御する。
【００４４】
直列式二方向性電気エネルギーパワーコントローラー３００は、よく使われるメカトロニクスコンポネント或いは固体パワーコンポネント及び電子回路関連コンポネントによって構成され、二方向性電気エネルギーの出力パワーを制御する。
回路の作動機能は下記の通りである。
ニーズによって直列式直流の電気エネルギーパワーコントローラー３３０の選択設置が可能で、ＬＥＤ一方向性駆動回路Ｕ１００を直列接続し、二者を直列接続してから、電源からの直流脈動の電気エネルギーを入力し、直列式直流の電気エネルギーパワーコントローラー３３０を通して、電源からの脈動の電気エネルギーを調整制御し、またパルス幅変調（Pulse Width Modulation）を行い、或いは導電の位相角を制御し、或いはインピーダンスの調整制御等の方式でパワーを調整制御することによって、ＬＥＤ一方向性駆動回路Ｕ１００を駆動する。
【００４５】
或いは、ニーズによって直列式二方向性電気エネルギーパワーコントローラー３００の選択設置が可能で、第二インピーダンスＺ１０２と整流装置ＢＲ１０１の交流入力端との間に直列接続し、直列式二方向性電気エネルギーパワーコントローラー３００を経由して、第二インピーダンスＺ１０２の両端からの並列共振する交流分圧二方向性電気エネルギーを制御し、またパルス幅変調或いは導電の位相角を制御し、或いはインピーダンスの調整制御等の方式でパワーを制御することによって、整流装置ＢＲ１０１を経て一方向性導電発光ダイオードセットＬ１００を駆動する。
【００４６】
或いは、ニーズによって直列式直流の電気エネルギーパワーコントローラー３３０の選択設置が可能で、整流装置ＢＲ１０１の直流出力端と一方向性導電発光ダイオードセットＬ１００の間を直列接続し、直列式直流の電気エネルギーパワーコントローラー３３０を経て、整流装置ＢＲ１０１からの直流の電気エネルギーをパルス幅変調を行い、或いは導電の位相角を制御し、或いはインピーダンスの調整制御等の方式でパワーを調整制御することによって、一方向性導電発光ダイオードセットＬ１００を駆動する。
【００４７】
（第５実施形態）
図７は、本発明の第５実施形態による脈動の電気エネルギーによる並列共振ＬＥＤ一方向性駆動回路を並列式電気エネルギーパワーコントローラーと並列に接続する回路例を示すブロック図である。並列式電気エネルギーパワーコントローラーの構成を以下に示す。
並列式直流の電気エネルギーパワーコントローラー４３０は、よく使われるメカトロニクスコンポネント或いは固体パワーコンポネント及び電子回路関連コンポネントによって構成され、直流脈動の電気エネルギーの出力パワーを制御する。
【００４８】
並列式二方向性電気エネルギーパワーコントローラー４００は、よく使われるメカトロニクスコンポネント或いは固体パワーコンポネント及び電子回路関連コンポネントによって構成され、二方向性電気エネルギーの出力パワーを制御する。
回路の作動機能は下記通りである。
ニーズによって並列式直流の電気エネルギーパワーコントローラー４３０の選択設置が可能で、その出力端をＬＥＤ一方向性駆動回路Ｕ１００を並列接続し、かつ並列式直流の電気エネルギーパワーコントローラー４３０の入力端へ電源からの直流脈動の電気エネルギーを入力し、並列式直流の電気エネルギーパワーコントローラー４３０を通して、電源からの直流脈動の電気エネルギーを調整制御し、パルス幅変調を行い、或いは導電の位相角を制御し、或いはインピーダンスを調整制御する等の方式でパワーを調整制御することより、ＬＥＤ一方向性駆動回路Ｕ１００を駆動する。
【００４９】
或いは、ニーズによって並列式二方向性電気エネルギーパワーコントローラー４００の選択設置が可能で、その出力端は整流装置ＢＲ１０１の交流入力端に並列接続し、並列式二方向性電気エネルギーパワーコントローラー４００の入力端は、第二インピーダンスＺ１０２に並列接続し、並列式二方向性電気エネルギーパワーコントローラー４００を通して、第二インピーダンスＺ１０２の両端からの並列共振の交流分圧二方向性電気エネルギーを調整制御し、パルス幅変調を行い、或いは導電の位相角をコントロールし、或いはインピーダンスの調整制御等の方式でパワーを調整制御することによって、整流装置ＢＲ１０１によって直流の電気エネルギーに整流することより、一方向性導電発光ダイオードセットＬ１００を駆動する。
【００５０】
或いは、ニーズによって並列式直流の電気エネルギーパワーコントローラー４３０の選択設置が可能で、その出力端を一方向性導電発光ダイオードセットＬ１００と並列接続し、かつ並列式直流の電気エネルギーパワーコントローラー４３０の入力端を整流装置ＢＲ１０１の直流出力端と並列接続し、並列式直流の電気エネルギーパワーコントローラー４３０を通して、整流装置ＢＲ１０１からの直流の電気エネルギーを調整制御し、パルス幅変調を行い、或いは導電の位相角を制御し、或いはインピーダンスを調整制御する等の方式でパワーを調整制御することによって、一方向性導電発光ダイオードセットＬ１００を駆動する。
【００５１】
（第６実施形態）
図８は、本発明の第６実施形態による脈動の電気エネルギーによる並列共振ＬＥＤ一方向性駆動回路をＤＣ‐ＤＣコンバータより出力する電気エネルギーを受けてから駆動する回路例を示すブロック図である。主な構成を以下に示す。
ＤＣ‐ＤＣコンバータ（DC to DC Converter）５０００は、よく使われるメカトロニクス或いは固体パワーコンポネント及び電子回路関連コンポネントより構成され、その入力端へ直流の電気エネルギーを入力し、その出力端はニーズによって選定した固定或いは可変電圧及び固定或いは可変周期の直流脈動の電気エネルギーを出力する。
【００５２】
回路の作動機能は下記の通りである。
ＤＣ‐ＤＣコンバータ５０００の入力端へ直流の電気エネルギーを入力し、その出力端から直流脈動の電気エネルギーを出力し、かつＬＥＤ一方向性駆動回路Ｕ１００をＤＣ‐ＤＣコンバータ５０００の出力端と並列に接続する。かつＤＣ‐ＤＣコンバータ５０００の入力端は、ニーズによって選定する固定或いは可変電圧の直流電気エネルギーを入力し、或いは交流電気エネルギーを直流電気エネルギーに整流してから入力する。
【００５３】
ＤＣ‐ＤＣコンバータ５０００の出力端は、ニーズによって選定した固定或いは可変電圧及び固定或いは可変周期の脈動の電気エネルギーを出力することによって、ＬＥＤ一方向性駆動回路Ｕ１００を制御及び駆動する。
またＤＣ‐ＤＣコンバータ５０００出力パワー制御によって、或いは出力する電気エネルギーに対して、パルス幅変調を行い、或いは導電の位相角を制御し、或いはインピーダンス制御等の方式でパワーを制御することによって、ＬＥＤ一方向性駆動回路Ｕ１００を制御及び駆動する。
【００５４】
（第７実施形態）
図９は、本発明の第７実施形態による脈動の電気エネルギーによる並列共振ＬＥＤ一方向性駆動回路をインピーダンスコンポネントと直列に接続する回路例を示すブロック図である。
ＬＥＤ一方向性駆動回路Ｕ１００を少なくとも一個のよく使われるインピーダンスコンポネント５００と直列接続してから、電源と並列に接続する。インピーダンスコンポネント５００の構成を以下に示す。
【００５５】
キャパシティブインピーダンス特性を持つコンポネントより構成する。
或いは、誘導性インピーダンス特性を持つデバスより構成する。
或いは、抵抗性インピーダンス特性を持つコンポネントより構成する。
或いは、単一インピーダンスコンポネントが同時にキャパシティブインピーダンス或いは誘導性インピーダンス或いは抵抗性インピーダンスの中で少なくとも二種の合成インピーダンス特性を持つコンポネントより構成されることによって、直流性質のインピーダンス或いは交流性質のインピーダンスを提供する。
【００５６】
或いは、単一インピーダンスコンポネントが誘導性インピーダンス及びキャパシティブインピーダンスの合成インピーダンス特性を持つコンポネントより構成され、かつその固有共振周波数と通過する二方向性或いは一方向性脈動の電気エネルギーの周波数或いは周期は同じで、また並列共振状態になることが可能である。
或いは、キャパシティブインピーダンスコンポネント、誘導性インピーダンスコンポネント或いは抵抗性インピーダンスコンポネントより構成され、その中の一種或いは一種以上を含む、及び一個或いは一個以上のインピーダンスコンポネントより構成され、或いは二種或いは二種以上の直列に接続するインピーダンスコンポネントを採用し、或いは並列や直並列接続より構成され、直流性質のインピーダンス或いは交流性質のインピーダンスを提供する。
【００５７】
或いは、キャパシティブインピーダンスコンポネントと誘導性インピーダンスコンポネントとが互いに直列に接続することより構成され、二者を直列接続後の固有直列共振周波数は、通過する二方向性或いは一方向性脈動の電気エネルギーの周波数や周期は同じで、かつ直列共振状態を形成し、また相対的にキャパシティブインピーダンスコンポネント或いは誘導性インピーダンスコンポネントの両端に、直列共振を示す相対端の電圧を形成することが可能である。
或いは、キャパシティブインピーダンスと誘導性インピーダンスとを互いに並列接続し、並列接続後の固有並列共振周波数は、通過する二方向性いは一方向性脈動の電気エネルギーの周波数或いは周期は同じで、かつ並列共振状態を形成し、及び相対端の電圧を形成することが可能である。
【００５８】
（第８実施形態）
図１０は、本発明の第８実施形態による脈動の電気エネルギーによる並列共振ＬＥＤ一方向性駆動回路をインピーダンスコンポネントと直列接続し、スイッチユニットを通して、直列、並列または直並列に接続する制御回路例を示すブロック図である。少なくとも二個の第７実施形態で述べたインピーダンスコンポネント５００が、メカトロニクスコンポネント或いは固体コンポネントとの接続によって、スイッチユニット６００を構成し、かつ直列、並列または直並列接続の切り替えを行うことより、ＬＥＤ一方向性駆動回路Ｕ１００のパワーへの出力を調節制御する。
【００５９】
（第９実施形態）
本発明の実施形態による脈動の電気エネルギーによる並列共振ＬＥＤ一方向性駆動回路において、前述の実施形態における第二インピーダンスＺ１０２の誘導性インピーダンスコンポネントＩ２００の選択は、更に誘導効果を持つ変圧器電源巻線セットによって取り替え、変圧器を単巻変圧巻線の単巻変圧器ＳＴ２００を選択、或いは分離式変圧巻線の変圧器ＩＴ２００を選択することが可能である。
【００６０】
図１１は、本発明の第９実施形態による脈動の電気エネルギーによる並列共振ＬＥＤ一方向性駆動回路において、単巻変圧器の単巻変圧の電源巻線によって第二インピーダンスの誘導性インピーダンスコンポネントを取り替える昇圧回路例を示す模式図である。図１１に単巻変圧器ＳＴ２００の昇圧機能を持つ単巻変圧巻線Ｗ０を示す。単巻変圧器ＳＴ２００の単巻変圧巻線Ｗ０のｂ・ｃ端を電源側とし、第二インピーダンスＺ１０２の中の誘導性インピーダンスコンポネントＩ２００を取り替えることによって、コンデンサーＣ２００と並列に接続し、並列接続後の固有並列共振周波数は、電源からの脈動の電気エネルギーの脈動周期と同じで、かつ並列共振状態を形成することによって、第二インピーダンスＺ１０２を構成し、第一インピーダンスＺ１０１を構成するコンデンサーＣ１００と直列に接続する。コンデンサーＣ２００は単巻変圧器ＳＴ２００のタップ（ＴＡＰ）のａ、ｃ間或いはｂ、ｃ間或いはほかのニーズによってタップ間での並列接続の選択が可能で、単巻変圧器ＳＴ２００の単巻変圧巻線Ｗ０のａ、ｃ出力端から昇圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００６１】
図１２は、本発明の第９実施形態による脈動の電気エネルギーによる並列共振ＬＥＤ一方向性駆動回路において、単巻変圧器の単巻変圧の電源巻線によって第二インピーダンスの誘導性インピーダンスコンポネントを取り替える降圧回路例を示す模式図である。図１２に単巻変圧器ＳＴ２００の降圧機能を持つ単巻変圧巻線Ｗ０を示す。単巻変圧器ＳＴ２００の単巻変圧巻線Ｗ０のａ・ｃ端を電源側とし、第二インピーダンスＺ１０２の中の誘導性インピーダンスコンポネントＩ２００を取り替えることによって、コンデンサーＣ２００と並列に接続し、並列接続後の固有並列共振周波数は、電源からの脈動の電気エネルギーの脈動周期と同じで、かつ並列共振状態を形成することによって、第二インピーダンスＺ１０２を構成し、第一インピーダンスＺ１０１を構成するコンデンサーＣ１００と直列に接続する。コンデンサーＣ２００は単巻変圧器ＳＴ２００のタップ（ＴＡＰ）のａ、ｃ間或いはｂ、ｃ間或いはほかのニーズによってタップ間での並列接続の選択が可能で、単巻変圧器ＳＴ２００の単巻変圧巻線Ｗ０のｂ、ｃ出力端から降圧交流の電気エネルギーを出力し、整流装置ＢＲ１０１の交流入力端へ出力し、かつ整流装置ＢＲ１０１の直流出力端によって、一方向性導電発光ダイオードセットＬ１００を駆動する。
【００６２】
図１３は、本発明の第９実施形態による脈動の電気エネルギーによる並列共振ＬＥＤ一方向性駆動回路において、分離式変圧巻線の分離式変圧器の一次巻線によって第二インピーダンスの誘導性インピーダンスコンポネントを取り替える回路例を示す模式図である。図１３の中にある分離式変圧器ＩＴ２００は一次巻線Ｗ１及び二次巻線Ｗ２によって構成される。一次巻線Ｗ１と二次巻線Ｗ２二者が分離され、その一次巻線Ｗ１はコンデンサーＣ２００と並列に接続し、並列接続後の固有並列共振周波数は、電源からの脈動の電気エネルギーの脈動周期と同じであって、かつ並列共振状態を形成することによって、第二インピーダンスＺ１０２を構成してから、第一インピーダンスＺ１０１を構成するコンデンサーＣ１００と直列に接続し、コンデンサーＣ２００は単巻変圧器ＳＴ２００のタップ（ＴＡＰ）のａ、ｃ間或いはｂ、ｃ間或いはほかのニーズによってタップ間での並列接続の選択が可能である。分離式変圧器ＩＴ２００の二次巻線Ｗ２の出力電圧は、ニーズによって昇圧或いは降圧の選択が可能で、二次巻線出力の交流電気エネルギーは、整流装置ＢＲ１０１の交流入力端へ出力し、整流装置ＢＲ１０１の直流出力端は、一方向性導電発光ダイオードセットＬ１００へ出力する。
【００６３】
上記の変圧器の電源巻線によって第二インピーダンスＺ１０２中の誘導性インピーダンスコンポネントＩ２００を取り替え、コンデンサーＣ２００と並列に接続する並列共振によって、第二インピーダンスＺ１０２を構成する。また分離式変圧器ＩＴ２００の二次側昇圧出力する交流電圧或いは降圧出力する交流の電気エネルギーは、整流装置ＢＲ１０１の交流入力端へ出力してから、整流装置ＢＲ１０１の出力端の直流の電気エネルギーへ出力することによって、一方向性導電発光ダイオードセットＬ１００を駆動する。
【００６４】
本発明の実施形態による脈動の電気エネルギーによる並列共振ＬＥＤ一方向性駆動回路は、ＬＥＤ一方向性駆動回路Ｕ１００の一方向性導電発光ダイオードセットＬ１００を構成する個別発光ダイオードＬＥＤ１０１の色を、ニーズによって一種或いは一種以上の色に選択することが可能である。
本発明の実施形態による脈動の電気エネルギーによる並列共振ＬＥＤ一方向性駆動回路は、ＬＥＤ一方向性駆動回路Ｕ１００において、一方向性導電発光ダイオードセットＬ１００を構成する個別発光ダイオードＬＥＤ１０１の間での配列の位置関係は、順序に従う線状配列、順序に従う面状配列、交錯する線状配列、交錯する面状配列、特定平面に従う幾何学的な位置配列、または特定立体に従う幾何的な位置配列を示すことが可能である。
【００６５】
本発明の実施形態による脈動の電気エネルギーによる並列共振ＬＥＤ一方向性駆動回路は、ＬＥＤ一方向性駆動回路Ｕ１００の中にある回路コンポネントセットの構成形態において、個別回路コンポネントより単独構成してから接続するか、少なくとも二個の回路コンポネントセットによって、少なくとも二個の一部の機能のユニットを組立てから接続するか、全体が一体構造を示す。
上記をまとめると、本発明の脈動の電気エネルギーによる並列共振ＬＥＤ一方向性駆動回路は、キャパシティブ単極性充放電によって発光ダイオードを駆動すると、進歩する電気節約・低熱ロス・コスト削減機能を特徴とする。
【符号の説明】
【００６６】
ＢＲ１０１：整流装置、Ｃ１００、Ｃ２００：コンデンサー、ＣＲ２０１：ダイオード、ＥＳＤ１０１：充放電可能装置、Ｉ１０３、Ｉ２００：誘導性インピーダンスコンポネント、ＩＴ２００：分離式変圧器、Ｌ１００：一方向性導電発光ダイオードセット、ＬＥＤ１０１：発光ダイオード、Ｒ１０１：放電抵抗、Ｒ１０３：限流抵抗、ＳＴ２００：単巻変圧器、Ｕ１００：ＬＥＤ一方向性駆動回路、Ｗ０：単巻変圧巻線、Ｗ１：一次巻線、Ｗ２：二次巻線、Ｚ１０１：第一インピーダンス、Ｚ１０２：第二インピーダンス、ＺＤ１０１：ツェナーダイオード、３００：直列式二方向性電気エネルギーパワーコントローラー、３３０：直列式直流の電気エネルギーパワーコントローラー、４００：並列式二方向性電気エネルギーパワーコントローラー、４３０：並列式直流の電気エネルギーパワーコントローラー、５００：インピーダンスコンポネント、６００：スイッチユニット、５０００：ＤＣ‐ＤＣコンバータ
【図１】
2009170912.tif 000003
【図２】
2009170912.tif 000004
【図３】
2009170912.tif 000005
【図４】
2009170912.tif 000006
【図５】
2009170912.tif 000007
【図６】
2009170912.tif 000008
【図７】
2009170912.tif 000009
【図８】
2009170912.tif 000010
【図９】
2009170912.tif 000011
【図１０】
2009170912.tif 000012
【図１１】
2009170912.tif 000013
【図１２】
2009170912.tif 000014
【図１３】
2009170912.tif 000015
【外国語明細書】
2009170912.tif 000016
2009170912.tif 000017
2009170912.tif 000018
2009170912.tif 000019
2009170912.tif 000020
2009170912.tif 000021
2009170912.tif 000022
2009170912.tif 000023
2009170912.tif 000024
2009170912.tif 000025
2009170912.tif 000026
2009170912.tif 000027
2009170912.tif 000028
2009170912.tif 000029
2009170912.tif 000030
2009170912.tif 000031
2009170912.tif 000032
2009170912.tif 000033
2009170912.tif 000034
2009170912.tif 000035
2009170912.tif 000036
2009170912.tif 000037
2009170912.tif 000038
2009170912.tif 000039
2009170912.tif 000040
2009170912.tif 000041
2009170912.tif 000042
2009170912.tif 000043
2009170912.tif 000044
2009170912.tif 000045
2009170912.tif 000046
2009170912.tif 000047
2009170912.tif 000048
2009170912.tif 000049
2009170912.tif 000050
2009170912.tif 000051
2009170912.tif 000052
2009170912.tif 000053
2009170912.tif 000054
2009170912.tif 000055
2009170912.tif 000056
2009170912.tif 000057
2009170912.tif 000058
2009170912.tif 000059
2009170912.tif 000060
2009170912.tif 000061
2009170912.tif 000062
2009170912.tif 000063
2009170912.tif 000064
2009170912.tif 000065
2009170912.tif 000066
2009170912.tif 000067